【事件の表示】
　特許第３０４９０６５号「液晶表示装置」の請求項１、２に係る特許に対する特許異議の申立てについて、次のとおり決定する。
【結　論】
　訂正を認める。
　特許第３０４９０６５号の請求項１、２に係る特許を維持する。
【理　由】
１．手続の経緯
　本件特許第３０４９０６５号に係る発明についての出願は、平成６年５月１８日に特許出願した特願平６−１０４０４４号の一部を平成１１年９月１０日に新たな特許出願としたものであり、平成１２年３月２４日にその発明について特許の設定登録がなされ、その請求項１及び２に係る発明の特許について、異議申立人平井紀子より特許異議の申立がなされ、取消理由通知がなされ、その指定期間内である平成１３年３月２７日に訂正請求がなされ、さらに取消理由通知がなされたのに対して、その指定期間内である平成１３年７月１２日に、平成１３年３月２７日付けの訂正請求書を取り下げるとともに、新たに訂正請求がなされたものである。
２．訂正の適否についての判断
（１）訂正の内容
　特許請求の範囲の請求項１の
　「【請求項１】　対向表面側に電極を有した第１及び第２の基板間に液晶を封入してなり、
前記第１及び第２の基板の電極が対向してなる表示画素が複数配置されてなる液晶表示装置において、
前記第１の基板には、各表示画素内に前記液晶との接触表面が前記第１の基板に対して傾斜した配向制御傾斜部が設けられ、
前記第２の基板は、前記液晶との接触表面が表示画素内でほぼ平坦に形成され、前記配向制御傾斜部によって液晶の配向方向を制御することを特徴とする液晶表示装置。」を、
　「【請求項１】　対向表面側に電極を有した第１及び第２の基板間に液晶を封入してなり、
前記第１及び第２の基板の電極が対向してなる表示画素が複数配置されてなる液晶表示装置において、
前記第１の基板には、各表示画素内に前記液晶との接触表面より下層に絶縁物が介在された配向制御断層を備え、該配向制御断層によって前記液晶との接触表面が前記第１の基板に対して傾斜した配向制御傾斜部となっており、かつ各表示画素内の前記液晶との接触表面の大部分は前記第１の基板に対して実質的に平行な平坦部分となっており、
前記第２の基板は、前記液晶との接触表面が表示画素内でほぼ平坦に形成され、
前記配向制御傾斜部によって液晶の配向方向を制御することを特徴とする液晶表示装置。」と訂正する。
（２）訂正の目的の適否、新規事項の有無及び拡張・変更の存否
　上記訂正は、特許請求の範囲の減縮に該当する。
　また、上記訂正事項における、「各表示画素内に前記液晶との接触表面より下層に絶縁物が介在された配向制御断層を備え、前記配向制御断層によって前記液晶との接触表面が前記第の基板に対して傾斜した配向制御傾斜部となって」いること、及び「各表示画素内の前記液晶との接触表面の大部分は前記第１基板にの対して実質的に平行な平坦部分となって」いることは、特許明細書の段落 【００２３】、【００３１】、【００３２】、図１、５、７等における実施例の説明の記載事項から導かれるものであり、明細書に記載された事項の範囲内のものであるから、新規事項の追加に該当しない。
　さらに、上記訂正は、実質的に特許請求の範囲を拡張し、変更するものではない。
（３）結論
　したがって、上記訂正は、特許法第１２０条の４第２項の規定及び同条第３項において準用する第１２６条第２、３項の規定に適合するので、当該訂正を認める。
３．特許異議の申立てについての判断
（１）本件発明
　本件特許の請求項１及び２に係る発明は、平成１３年７月１２日付けで提出された訂正明細書の特許請求の範囲の請求項１及び２に各々記載されたとおりの次のものである。
　「【請求項１】　対向表面側に電極を有した第１及び第２の基板間に液晶を封入してなり、
前記第１及び第２の基板の電極が対向してなる表示画素が複数配置されてなる液晶表示装置において、
前記第１の基板には、各表示画素内に前記液晶との接触表面より下層に絶縁物が介在された配向制御断層を備え、該配向制御断層によって前記液晶との接触表面が前記第１の基板に対して傾斜した配向制御傾斜部となっており、かつ各表示画素内の前記液晶との接触表面の大部分は前記第１の基板に対して実質的に平行な平坦部分となっており、
前記第２の基板は、前記液晶との接触表面が表示画素内でほぼ平坦に形成され、
前記配向制御傾斜部によって液晶の配向方向を制御することを特徴とする液晶表示装置。
【請求項２】　前記第１の基板には、各画素毎に電気的に独立した複数の画素電極が配置され、
前記第２の基板には、前記複数の画素電極に対向して一つの対向電極が配置され、
前記第１の基板の液晶接触面は、一つの表示画素内で表示画素内の液晶接触面の主たる領域を基準として、一部は前記基準よりも低く陥没し、かつ別の一部が前記基準よりも高く隆起して前記配向制御傾斜部を複数形成していることを特徴とする請求項１に記載の液晶表示装置。」
（２）申立ての理由の概要
　異議申立人平井紀子は、甲第１号証及び甲第２号証を提出して、本件の請求項１に係る発明（以下、本件発明１という）は、本件の請求項１に係る発明についての出願前に出願され、その後に甲第１号証刊行物として出願公開された特許出願（以下、先願１という）の願書に最初に添付された明細書または図面に記載された発明（以下、先願発明１という）と同一であるか、または本件発明１についての出願前に出願され、その後に甲第２号証として出願公開された特許出願（以下、先願２という）の願書に最初に添付された明細書または図面に記載された発明（以下、先願発明２という）と同一であり、本件発明１の発明者が先願発明１の発明者または先願発明２の発明者と同一でなく、本件発明１についての出願の時にその出願人が先願１の出願人または先願２の出願人と同一でないので、本件発明１の特許は特許法第２９条の２の規定に違反してされたものである旨主張し、また、本件の請求項２に係る発明（以下、本件発明２という）は、先願発明２と同一であり、本件発明２の発明者が先願発明２の発明者と同一でなく、本件発明２の出願の時にその出願人が先願２の出願人と同一でないので、本件発明２の特許は特許法第２９条の２の規定に違反してされたものである旨主張する。
（３）甲各号証刊行物の記載事項
甲第１号証：特願平５−７２６４４号（特開平６−２８９３９８号公報）
　「透明電極と配向膜とを形成した一対の透明基板間に液晶を封入した液晶表示素子において、少なくとも一方の基板側の配向膜の膜面を、両基板の透明電極が互いに対向する画素部ごとに、少なくとも２つの方向に傾斜させたことを特徴とする液晶表示素子。」（特許請求の範囲請求項１）
　「この液晶表示素子は、図１および図２に示すように、ガラス等からなる一対の透明基板１１，１２をその周縁部において図示しない枠状のシール材を介して接合し、この両基板１１，１２間に液晶（誘電異方性が正のネマティック液晶）Ａを封入したもので、両基板１１，１２の互いに対向する面にはそれぞれ透明な絶縁膜１３，１４が形成されており、この絶縁膜１３，１４の上に、透明電極１５，１６が形成されている。」（段落００１６）
　「そして、この液晶表示素子においては、その一方の基板の電極、例えば図１における下基板１２に形成した信号電極１６を、その表面の右半分と左半分とがそれぞれ電極側縁から電極中心に向かって高くなるように傾斜する断面山形の電極とすることにより、その上に被着した配向膜１８の膜面を、上記信号電極１６の表面に対応させて左右２つの方向に傾斜させてある。」（段落００２１）
　「すなわち、図３は上記液晶表示素子の１つの画素部の拡大斜視図であり、下基板１２側の配向膜１８の膜面は、各画素部ごとに、その右半分と左半分とがそれぞれ互いに逆向きに傾斜（画素部の周縁から画素部の中心に向かって高くなるように傾斜）する傾斜面となっており、それぞれの傾斜面が互いに逆方向（傾斜面の低い側から高い側に向かう方向）Ｘ１，Ｘ２にラビングされている。・・・・上基板１１側の配向膜１７の膜面はほぼ水平になっており、・・・・」（段落００３０〜００３１）
　「・・・・上記液晶表示素子では、下基板１２側の配向膜１８の膜面を、画素部の右半分と左半分とで互いに逆向きに傾斜させるとともに、それぞれの傾斜面をその傾斜方向に沿って互いに逆方向Ｘ１，Ｘ２にラビングしているため、画素部の右半分と左半分とで、液晶分子ａが異なるプレチルト状態で配向する。・・・・これは、下基板１２側での液晶分子ａの配向方向が配向膜１８のラビング方向Ｘ１，Ｘ２によって規制されるとともに、下基板１２面に対する液晶分子ａのプレチルト角φ１，φ２が、配向膜１８によって与えられるプレチルト角に配向膜１８面の傾斜角度を加えた角度になるためであり、・・・・上基板１１側で液晶の分子ａプレチルト角ψおよびプレチルト方向Ｙψが画素部全域にわたって一様であっても、１つの画素部内に、液晶分子ａが異なるプレチルト状態でツイスト配向した２つの領域ができる・・・・そして、液晶表示素子の視野角は、その両基板１１，１２側での液晶分子ａのプレチルト方向に基づくツイスト配向状態によって決まるが、１つの画素部内に液晶分子ａが異なるツイスト状態で配向した２つの領域Ｓ１，Ｓ２があるので、その各領域Ｓ１，Ｓ２が各々異なる視野角をもち、液晶表示素子の視野角が広くなる。」（段落００３２〜００３４）
  また、図１、３には、下基板の各画素ごとに配向膜面が傾斜面を有する液晶表示素子の構成、液晶分子のプレチルト角が示されている。
　以上の記載からすれば、甲第１号証刊行物には、先願発明１として、「互いに対向する面にそれぞれ透明電極が形成された１対の基板間に液晶を封入し、画素部が複数配置され、下基板に各画素部ごとに信号電極を電極中心に向かって高くなるように傾斜する断面山形の電極とすることによりその上に被着した配向膜が対応して傾斜する傾斜面を有し、上基板の配向膜の膜面がほぼ水平になっており、下基板の配向膜の傾斜面によって液晶分子の配向状態に変化を与えるようにした液晶表示素子」が記載されているものと認められる。
甲第２号証：特願平５−３３３９９７号（特開平７−１９９１９３号公報）
　「一対の支持基板間に液晶物質を挟持してなり、前記支持基板間に液晶の配向方向が異なる領域を複数持つ液晶表示装置において、前記支持基板の一方若しくは両方の支持基板上の各画素に、画素端部の一部若しくは全部が薄く画素中央の分割境界部が厚い凸構造、若しくは、前記支持基板の一方の支持基板上の各画素に画素端部の一部若しくは全部が厚く画素中央の分割境界部が薄い凹構造のどちらか一方を有することを特徴とする液晶表示装置。」（特許請求の範囲請求項１）
　「・・・・図７は第１の発明の第１の実施例を示す斜視図である。・・・・図９は本実施例における液晶表示装置の一単位画素部の組立斜視図である。・・・・図１０に示すように、第一の基板１７上に凸構造面の材料として第一のポリイミド膜２４を厚さ約２μｍ塗布した。この第一のポリイミド膜２４の上面に第一のポリイミド膜２４と現像時のエッチングによる溶解速度が異なる第二のポリイミド膜２５を塗布した。この第二のポリイミド膜上にレジストを使用して露光・現像・エッチングを行い、図１０に示すような構造を得た。この基板上に更に第三のポリイミド膜を塗布し、同様に露光・現像・エツチングを行った。この時レジスト端部よりエッチングが進み、凸構造面が得られた。・・・・この構造面を有した第一の基板１７上にポリイミドによる配向膜９を塗布した。その配向膜９表面に、凸構造面の境界と４５°の方向にラビング処理を施した。第二の基板１８も第一の基板と同様に配向処理を施したが、ラビングの方向は９０°捻じれた方向とした。この両基板をシリカ粒子によるスペーサを介して接着剤で接着し、正の誘電異方性を有するネマティック液晶を注入した。・・・・この実施例においては、電圧を印加すると一画素内部で画素中心部を境界として配向が二分された。その結果、本実施例の液晶表示装置は、従来の配向膜上にレジストを用いた液晶表示装置と同様に広視野で高コントラストな特性が得られた。また、本実施例による液晶表示装置の表示ムラの発生率と従来のレジストを配向膜上に用いた液晶表示装置での表示ムラの発生率を求めた所、表示ムラの発生率が１．２％から０．１３％へと１割程度に減った。・・・・」（段落００１５〜００１６）
　「・・・・第１から第３の実施例において構造面の断面は二等辺三角形状のものを用いたが、次のような形状のものでも分割が可能であった。すなわち、円弧の一部を一辺とするような二等辺三角形状のもの、三角形の底辺部の角度が異なり、画素途中で構造がなくなるような形状等でも配向が分割された。」（段落００２０）
　「【発明の効果】本発明を適用すれば、配向膜上にレジストを用いなくても基板上の構造のみで電圧印加時の液晶配向を画素内で分割することが出来、広視野な液晶表示装置を得ることが出来る。また、構造面の工夫により、４分割等の多数の配向の分割や、配向膜や配向処理を用いないで電圧印加時の液晶配向を分割した液晶表示装置が得られる。」（段落００２３）
　また、図１，７，９，１０には、各画素部に凸構造、または凹構造を有する液晶表示装置の構成、第一基板の凸構造面の形成工程が示されている。
　以上の記載からすれば、甲第２号証刊行物には、先願発明２として、「一対の基板間に液晶を挟持し、第１の基板に画素が複数配置され、各画素に画素端部の一部若しくは全部が薄く画素中央部が厚いポリイミドからなる、断面が二等辺三角形状、円弧の一部を一辺とする二等辺三角形状、三角形の底辺部の角度が異なり画素途中で構造がなくなる形状等の凸構造を有し、その上に配向膜が塗布され、電圧を印加した時に画素の中心部を境界として配向が二分されるようにした液晶表示装置」が記載されているものと認められる。
（４）当審の判断
　本件発明１と先願発明１とを対比すると、先願発明１における「下基板」、「上基板」、「透明電極」、「画素部」、「配向膜の傾斜面」、「液晶表示素子」は、それぞれ本件発明における「第１の基板」、「第２の基板」、「電極」、「表示画素」、「配向制御傾斜部」、「液晶表示装置」に相当し、先願発明１において、下基板及び上基板の透明電極が対向してなる画素部が複数配置されていること、上基板は液晶との接触表面が表示画素内でほぼ平坦に形成されていること、配向膜の傾斜面によって液晶の配向方向が制御されることは明らかであるから、本件発明１と先願発明１とは、「対向表面側に電極を有した第１および第２の基板間に液晶を封入してなり前記、第１及び第２の基板の電極が対向してなる表示画素が複数配置されてなる液晶表示装置において、前記第２の基板は、前記液晶との接触表面が表示画素内でほぼ平坦に形成され、前記配向制御傾斜部によって液晶の配向方向を制御するようにした液晶表示装置」であることにおいて共通するが、本件発明１において、第１の基板には、各表示画素内に液晶との接触表面より下層に絶縁物が介在された配向制御断層を備え、該配向制御断層によって前記液晶との接触表面が前記第１の基板に対して傾斜した配向制御傾斜部となっており、かつ各表示画素内の前記液晶との接触表面の大部分は前記第１の基板に対して実質的に平行な平坦部分となっているのに対して、先願発明１においては、下基板に各画素部ごとに信号電極を電極中心に向かって高くなるように傾斜する断面山形の電極とすることによりその上に被着した配向膜が対応して傾斜する傾斜面を有するが、下基板は液晶との接触表面より下層に絶縁物が介在された配向制御断層を備えていず、各画素部内の液晶との接触表面の一部が下基板に対して実質的に平行な平坦部分になってはいない点において相違する。
　そして、この相違点は、先願発明１において明らかな程度のこと、あるいは単なる周知の事項ではないので、本件発明１は先願発明１と同一であるととすることはできない。
　次に、本件発明１と先願発明２とを対比すると、先願発明２における「画素」、「ポリイミドからなる凸構造」は、それぞれ本件発明１における「表示画素」、「絶縁物」に相当し、先願発明において、第１の基板及び第２の基板は対向表面側に電極を有していて、両基板間に液晶が封入されること、両基板の電極が対向してなる画素が複数配置されること、一方の基板のみが凸構造を有する場合には他方の基板である第２の基板は液晶との接触表面が画素内ほぼで平坦に形成されていることは明らかであり、第１の基板のポリイミドの凸構造の上側に塗布された配向膜が山形の傾斜面を有し、この傾斜面により電圧の印加時に画素の中心部を境界として配向が二分されることからすれば、第１の基板は画素内に液晶との接触表面より下層に絶縁物が介在された配向制御傾斜断層を備え、それによって液晶との接触表面が第１の基板に対して傾斜した配向制御部となって、この配向制御傾斜部によって液晶の配向方向を制御することになるから、本件発明１と先願発明２とは、「対向表面側に電極を有した第１及び第２の基板間に液晶を封入してなり、前記第１及び第２の基板の電極が対向してなる表示画素が複数配置されてなる液晶表示装置において、前記第１の基板には、各表示画素内に前記液晶との接触表面より下層に絶縁物が介在された配向制御断層を備え、該配向制御断層によって前記液晶との接触表面が前記第１の基板に対して傾斜した配向制御傾斜部となっており、前記第２の基板は、前記液晶との接触表面が表示画素内でほぼ平坦に形成され、前記配向制御傾斜部によって液晶の配向方向を制御することを特徴とする液晶表示装置」である点において共通するが、本件発明１において、第１の基板の各表示画素内の液晶との接触表面の大部分は第１の基板に対して実質的に平行な平坦部分となっているのに対して、先願発明２における第一の基板の各画素の表面形状は画素端部の一部若しくは全部が薄く画素中央部が厚いポリイミドの凸構造に応じた形状になっており、液晶との接触表面の大部分がが第一の基板に対して実質的に平行な平坦部分とはなっていない点において相違する。
　そして、先願発明２における「画素端部の一部若しくは全部が薄く画素中央部が厚い凸形状に応じた形状」は、断面が二等辺三角形状、円弧の一部を一辺とするような二等辺三角形状、三角形の底辺部の角度が異なり、画素途中で構造がなくなる形状等の凸構造として示されるものであるから、本件発明１における「第１の基板の各表示画素内の液晶との接触表面の大部分が第１の基板に対して実質的に平行な平坦部分となっている」形状になることはない。
　それゆえ、本件発明１は先願発明２と同一であるとすることはできない。
　また、本件発明２は、本件発明１の液晶表示装置に対し、さらに「前記第１の基板には、各画素毎に電気的に独立した複数の画素電極が配置され、
前記第２の基板には、前記複数の画素電極に対向して一つの対向電極が配置され、
前記第１の基板の液晶接触面は、一つの表示画素内で表示画素内の液晶接触面の主たる領域を基準として、一部は前記基準よりも低く陥没し、かつ別の一部が前記基準よりも高く隆起して前記配向制御傾斜部を複数形成している」という限定を加えたものであるので、先願発明２と同一であるとすることはできない。
（５）むすび
　以上のとおりであるから、特許異議申立の理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１３年７月１７日（２００１．７．１７）
【訂正の要旨】
訂正の要旨
　特許請求の範囲の請求項１の
　「【請求項１】　対向表面側に電極を有した第１及び第２の基板間に液晶を封入してなり、
前記第１及び第２の基板の電極が対向してなる表示画素が複数配置されてなる液晶表示装置において、
前記第１の基板には、各表示画素内に前記液晶との接触表面が前記第１の基板に対して傾斜した配向制御傾斜部が設けられ、
前記第２の基板は、前記液晶との接触表面が表示画素内でほぼ平坦に形成され、前記配向制御傾斜部によって液晶の配向方向を制御することを特徴とする液晶表示装置。」を、
　「【請求項１】　対向表面側に電極を有した第１及び第２の基板間に液晶を封入してなり、
前記第１及び第２の基板の電極が対向してなる表示画素が複数配置されてなる液晶表示装置において、
前記第１の基板には、各表示画素内に前記液晶との接触表面より下層に絶縁物が介在された配向制御断層を備え、該配向制御断層によって前記液晶との接触表面が前記第１の基板に対して傾斜した配向制御傾斜部となっており、かつ各表示画素内の前記液晶との接触表面の大部分は前記第１の基板に対して実質的に平行な平坦部分となっており、
前記第２の基板は、前記液晶との接触表面が表示画素内でほぼ平坦に形成され、
前記配向制御傾斜部によって液晶の配向方向を制御することを特徴とする液晶表示装置。」
と訂正する。
（５４）【発明の名称】
液晶表示装置
（５７）【特許請求の範囲】
　【請求項１】　対向表面側に電極を有した第１及び第２の基板間に液晶を封入してなり、
前記第１及び第２の基板の電極が対向してなる表示画素が複数配置されてなる液晶表示装置において、
前記第１の基板には、各表示画素内に前記液晶との接触表面
より下層に絶縁物が介在された配向制御断層を備え、該配向制御断層によって前記液晶との接触表面が
となっており、かつ各表示画素内の前記液晶との接触表面の大部分は前記第１の基板に対して実質的に平行な平坦部分となっており
前記第２の基板は、前記液晶との接触表面が表示画素内でほぼ平坦に形成され、前記配向制御傾斜部によって液晶の配向方向を制御することを特徴とする液晶表示装置。
　【請求項２】　前記第１の基板には、各画素毎に電気的に独立した複数の画素電極が配置され、
前記第２の基板には、前記複数の画素電極に対向して一つの対向電極が配置され、
前記第１の基板の液晶接触面は、一つの表示画素内で表示画素内の液晶接触面の主たる領域を基準として、一部は前記基準よりも低く陥没し、かつ別の一部が前記基準よりも高く隆起して前記配向制御傾斜部を複数形成していることを特徴とする請求項１に記載の液晶表示装置。
　【請求項３】　前記第１の基板の液晶接触面は、表示画素内の液晶接触面の主たる領域を基準として、記基準よりも高い隆起と前記基準よりも低い陥没が交互に形成されていることを特徴とする請求項１もしくは請求項２に記載の液晶表示装置。
　【請求項４】　前記第１の基板の液晶接触面は、表示画素内において、表示画素外の前記液晶接触面を基準として該基準よりも高くなる第１の隆起が形成され、該隆起の上に更に第２の隆起が形成されて前記配向制御部を複数形成していることを特徴とする請求項１に記載の液晶表示装置。
【発明の詳細な説明】
　【０００１】
　【発明の属する技術分野】
　本発明は液晶表示装置に関し、特に、液晶ダイレクターの配向を制御することにより、広視野角特性と高表示品位を達成した液晶表示装置に関する。
　【０００２】
　【従来の技術】
　液晶表示装置は小型、薄型、低消費電力などの利点があり、ＯＡ機器、ＡＶ機器などの分野でディスプレイ装置として実用化が進んでいる。
　【０００３】
　液晶表示装置は、ガラスなどの透明基板上に所定パターンの透明電極が設けられた２枚の基板が、厚さ数μｍの液晶層を挟んで貼り合わされ、更にこれを、偏光軸が互いに直交する２枚の偏光板で挟み込むことによって構成される。特に、走査電極群とデータ電極群を交差配置した交点を任意に選択して表示画素容量に電圧を印加することにより、液晶を駆動するマトリクス型は、数万から数１０万の画素の駆動が可能であり、大画面、高精細の表示ディスプレイ装置に適している。
　【０００４】
　図２１にその一般的な平面構造を示す。走査電極（Ｘ）とデータ電極（Ｙ）はいずれもＩＴＯなどの透明導電膜からなる。これらはそれぞれ、液晶を挟んで上下に配置されたガラスなとの透明基板上に形成されており、両電極（Ｘ，Ｙ）の交差点が表示画素容量となっている。両電極（Ｘ，Ｙ）は時分割駆動により信号電圧が印加される。選択点となる表示画素には閾値以上の実効電圧が印加されて液晶を駆動することにより、透過率の変化した表示点の集合が、文字や像などの表示画像として視認される。
　【０００５】
　図２２は選択用スイッチング素子としてＴＦＴ（Ｔｈｉｎ　Ｆｉｌｍ　Ｔｒａｎｓｉｓｔｏｒ：薄膜トランジスター）を用いたアクティブマトリクス型の平面構造である。アクティブマチリクス型では、走査信号用ゲートライン（Ｇ）とデータ信号用ドレインライン（Ｄ）が同一基板上に形成されている。両ライン（Ｇ，Ｄ）の交点には、活性層としてａ‐Ｓｉやｐ‐Ｓｉなどの非単結晶半導体層を用いたＴＦＴが形成され、表示電極（Ｐ）に接続している。対向電極は液晶層を挟んで対向配置されたもう一方の基板上に全面形成されており、表示電極（Ｐ）との各対向部分が表示画素容量となっている。表示電極（Ｐ）及び対向電極はＩＴＯなどの透明導電膜からなる。ゲートライン（Ｇ）は線順次に走査選択されて、同一走査線上のＴＦＴを全てＯＮとし、これと同期したデータ信号をドレインライン（Ｄ）を介して各表示電極（Ｐ）に供給する。対向電極もまた、ゲートライン（Ｇ）の走査に同期して電圧が設定され、対向する各表示電極（Ｐ）との電圧差で液晶を駆動し、非選択中はＴＦＴのＯＦＦ抵抗により、表示画素容量に印加された電圧が保持され、液晶の駆動状態が継続される。
　【０００６】
　図２３はこのような液晶表示装置のセル構造を示した断面図である。透明基板（２００，２１０）上には、それぞれ、走査電極や表示電極、及び、データ電極または対向電極となる透明電極（２０１，２１１）が形成されており、液晶層（２２０）を挟んだ上下に位置している。また、透明電極（２０１，２１１）上にはポリイミドなどの高分子膜からなる配向膜（２３０，２４０）が被覆され、ラビング処理を施すことにより表面配向が制御されている。更に、図示は省略したが、両基板（２００，２１０）の外側には、互いに偏光軸方向が直交するように偏光板が設けられている。
　【０００７】
　液晶層（２２０）は、カイラル材を混入して、ねじれ方向の指向性を与えたネマチック液晶である。正の誘電率異方性を有した液晶は、このように基板表面に平行に配向するが、ラビング方向に沿って、わずかの初期傾斜（プレチルト）角を有した初期配向状態となる。ラビングは両基板（２００，２１０）について互いに直交する方向に行われ、液晶は上下両基板間で９０°にねじれ配置されている。図２４は、この様子を模式的に示した斜視図である。上下両基板はそれぞれ矢印で示す方向にラビング処理されている。接触面で、液晶ダイレクター（２２１）はラビング方向ヘプレチルト分立ち上げられ、これに従って、下から上へ時計回りにねじれ配列されている。このようなタイプの液晶表示装置はＴＮ（Ｔｗｉｓｔｅｄ　Ｎｅｍａｔｉｃ：ねじれネマチック）方式と呼ばれている。ＴＮ方式では、液晶層（２２０）へ電圧を印加してねじれ状態を解消することにより透過光を制御して明暗（白黒）を得ている。
　【０００８】
　図２５は液晶層（２５０）として負の誘電率異方性を有した液晶を用いたセルである。電極配置は図２３で示したＴＮ方式と変わり無いが、垂直配向用に成膜された配向膜（２６０，２７０）の排除体積効果により、液晶を基板の垂直方向に初期配向させたセルである。これは、液晶ダイレクター（２５１）が、基板に対して垂直方向に成長された配向膜（２６０，２７０）の高分子成分に対して平行に配列することにより、高分子の占有体積と液晶分子の占有体積の接触によって生じる相互的な排除体積が最小になるようにされたものである。このようなタイプとして、例えば、電場印加により液晶の配向を初期状態から変化させ、入射光に複屈折変化を与えることにより明暗やカラーを得るＥＣＢ（Ｅｌｅｃｔｒｉｃａｌｌｙ　Ｃｏｎｔｒｏｌｌｅｄ　Ｂｉｒｅｆｒｉｎｇｅｎｃｅ）方式がある。
　【０００９】
　【発明が解決しようとする課題】
　続いて、従来の液晶表示装置の問題点について説明する。図２６は、ＴＮセルを上から見た場合、液晶ダイレクターの方向を平面的に射影した図である。点線矢印は下側のラビング方向であり、実線矢印は上側のラビング方向である。図２４を参照しても分かるように、液晶ダイレクター（２２１）は、下側では点線矢印で示す方向を上へ向けて立ち上がり、上側では実線矢印で示す方向を下へ向けて立ち上がる。配向ベクトルの向きを液晶の長軸方向の上向きへ取ると、セル内の液晶ダイレクターは全て２重矢印で示した角度範囲内の配向ベクトルを有する。中間調における液晶の中間層では、液晶ダイレクターは太矢印で示した配向ベクトルで表され、全階調及び全液晶層中でも平均的にこの配向ベクトルの状態にあると見なされる。視角の変化によって光路に対する液晶の配向状態も相対的に変化するので、真正面からの視認に比較して、紙面の右側からの視認では階調が白に近づき、左側からの視認では黒に近づき、左右方向の視角依存性が高かった。
　【００１０】
　図２７は，従来の垂直配向型ＥＣＢ方式の液晶表示装置の駆動時の光の透過状態を示した平面図である。上の説明では省略したが、通常、対向基板側にはメタルなどの遮光膜が設けられており、マトリクス配置された画素に対応する開口部（３００）を除いて、光の透過を遮断している。この遮光領域（３０１）では、画素間の光漏れが防止されて黒色となり、表示のコントラスト比を向上するものである。各開口部（３００）では光の透過率が制御されて、所望の表示が得られることになるが、この開口部（３００）においても、ディスクリネーション（３０２）と呼ばれる黒領域が生じる。ディスクリネーションとは、液晶の配向ベクトルが互いに異なる領域が複数存在するとき、その境界線上で、液晶ダイレクターの配向がが乱れ、他の領域とは異なる透過率を示す領域である。
　【００１１】
　ネマチック相の液晶ダイレクターは、電圧印加時の配向ベクトルが電界方向に対する角度のみで束縛され、電界方向を軸とした方位角は解放されている。そのため、基板表面には電極による凹凸が有り表面配向処理が不均一になっていることや、セル内の電極間の電位差による横方向の電界が存在していることなどの原因により配向ベクトルが互いに異なった領域が生じる。部分的にも配向ベクトルの異常が存在すると、液晶の連続体性のために、これに従うような方位角を有する配向ベクトルがある領域に渡って広がる。このようなことがセルの複数個所で起きれば、電界方向とのなす角が同じでありながら、方位角が異った配向ベクトルを有する領域が複数生じる。これらの領域の境界線は透過率が他と異なっており、ディスクリネーションとなる。画素ごとに異なる形状のディスクリネーションが多発すると、画面にざらつきが生じたり、期待のカラー表示が得られないなどの問題が招かれる。
　【００１２】
　また、各領域の配向ベクトルが、表示領域中で不規則になると視角依存性が高まる問題がある。
　【００１３】
　更に、ラビング時に生ずる静電気が、ＴＦＴの閾値や、相互コンダクタンスの変化を招く、いわゆる静電破壊の問題もある。
　【００１４】
　【課題を解決するための手段】
　本発明は以上の課題に鑑みて成され、対向表面側に電極を有した第１及び第２の基板間に液晶を封入してなり、第１及び第２の基板の電極が対向してなる表示画素が複数配置されてなる液晶表示装置において、第１の基板には、液晶との接触表面が隆起又は陥没されてなる配向制御傾斜部が設けられ、第２の基板は、液晶との接触表面が平坦に形成され、配向制御傾斜部によって液晶の配向方向を制御する液晶表示装置である。
　【００１５】
　また、第１の基板には、各画素毎に電気的に独立した複数の画素電極が配置され、第２の基板には、複数の画素電極に対向して一つの対向電極が配置され、第１の基板の液晶接触面は、一つの画素内で一部は陥没し、かつ別の一部が隆起して配向制御傾斜部を複数形成している。
　【００１６】
　更に、第１の基板の液晶接触面は、隆起と陥没が交互に形成されている。
　【００１７】
　又は、第１の基板の液晶接触面は、隆起が形成された上に更に隆起が形成されて配向制御傾斜部を複数形成している。
　【００１８】
　基板表面を隆起または陥没させて形成した傾斜部では、正または負の誘電率異方性を有する液晶ダイレクターは、それぞれ初期配向方向が傾斜面に対して平行または垂直に制御され、電界方向とは所定の角度を持った状態にある。このため、電圧印加により最短でエネルギー的に安定な状態へ傾斜するように傾斜方向が束縛され、誘電率異方性に基づく電界効果と合わせて、配向ベクトルが決定される。
　【００１９】
　このように、配向ベクトルが配向制御傾斜部により決定されると、液晶の連続体性により、同じ配向ベクトルを有した領域が、電極や他の配向制御傾斜部など、他の何らかの作用を受けた部分に制限されるまで広がる。このため、配向制御傾斜部を表示画素領域の周辺及び領域中に所定の形状で配置することにより、これらの作用により規定されたゾーン内では配向ベクトルが均一に揃えられ、表示特性が向上する。
　【００２０】
　電極の下部に配向制御断層を層間配置することにより、電極が部分的に隆起され、液晶層との接触表面が隆起または陥没された配向制御傾斜部が形成される。
　【００２１】
　表示画素の領域内に設けられた配向制御傾斜部により複数に分割された表示画素領域内の各ゾーンは、互いに異なる優先視角方向を持つため、一つの表示画素について優先視角方向が広がり、視角依存性を低減することができる。
　【００２２】
　表示画素の領域内に電極の不在部分である配向制御窓を設けたことにより、これに対応する液晶層中では電界が弱く液晶駆動の閾値以下であるため、液晶ダイレクターは初期配向状態に保持される。配向制御傾斜部によりそれぞれ異なる配向状態に制御された液晶層の各ゾーンの境界は配向制御窓により一定に固定され、配向が安定し、更に表示特性が向上する。
　【００２３】
　【発明の実施の形態】
　以下、本発明を実施例に基づいて詳細に説明する。まず、第１の実施例を図１及び図２を参照しながら説明する。図１は本実施例に係るＴＮ液晶セルの断面図である。液晶層（３０）を挟んで上下に貼り合わされた２枚の透明な基板（１０，２０）上にはＩＴＯからなる透明電極（１１，２１）が設けられている。下側の透明電極（１１）の下部には絶縁物が介在されて配向制御断層（１２Ｓ）として、表示画素部の両端で透明電極（１１）を隆起させている。一方、上側の透明電極（２１）の下部にも絶縁物が介在されて配向制御断層（２２Ｓ）として、表示画素部の領域内部で透明電極（２１）を隆起させている。配向制御断層（１２，２２）はいずれもＳｉＮＸやＳｉＯ２などをエッチングすることにより形成され
る。透明電極（１１，２１）上にはそれぞれＳｉＯの斜方蒸着膜やＬＢ膜（ラングミュア・ブロジェット膜）が全面に被覆されて配向膜（４０，５０）となっている。この配向膜（４０，５０）によりプレチルト角０°の平行配向構造が実現される。ＳｉＯの斜方蒸着では、基板の法線から６０°の角度で蒸着することにより、蒸着方向に直角な方向でプレチルト角０°の平行配向が得られる。また、ＬＢ膜は、水面上に吸着した単分子膜を基板表面に累積させた膜であり、配向膜としては、基板を水面を横切って鉛直方向に上下させることにより、上下に動かした方向にプレチルト角０°の平行配向膜が得られる。液晶層（３０）は正の誘電率異方性を有するネマチック液晶であり、カイラル材を混入することにより液晶ダイレクター（３１）のねじれ易さを付与し、接触面で配向膜（４０，５０）の制御を受けて両基板間で９０°にねじれ配列されている。配向膜（４０，５０）は、配向制御断層（１２Ｓ，２２Ｓ）により隆起された部分の斜面が、液晶層（３０）との接触表面が傾斜された配向制御傾斜部（１３Ｌ，１３Ｒ，２３Ｌ，２３Ｒ）となっている。
　【００２４】
　この構造のセルを駆動すると、液晶ダイレクター（３１）は、下側電極（１１）の両端部の配向制御傾斜部（１３Ｌ，１３Ｒ）に従って、それぞれ左右両側の領域で互いに反対側から立ち上げられる。また、上側電極（２１）の中央部でも配向制御傾斜部（２３Ｌ，２３Ｒ）によってそれぞれ反対側が立ち上がる。即ち、液晶の連続体性のために、図の左側のゾーンでは、液晶層（３０）を挟んだ上下の配向制御傾斜部（１３Ｌ，２３Ｌ）の作用により、液晶ダイレクター（３１）は全て左側から立ち上げられるとともに、右側のゾーンでは配向制御傾斜部（１３Ｒ，２３Ｒ）の作用により、液晶ダイレクター（３１）は全て右側から立ち上げられる。このように配向制御傾斜部（１３Ｌ，１３Ｒ，２３Ｌ，２３Ｒ）を配置することにより、表示画素が配向ベクトルの異なる２つのゾーンに分割されるとともに、それぞれのゾーンで均一な配向状態となる。
　【００２５】
　図２は表示画素部の平面図であり、上下両電極（１０，２０）の対向部分を上から見た構造を示している。左右両端の辺に沿って下側の配向制御傾斜部（１３Ｌ，１３Ｒ）の帯状領域があり、これと平行した中央部は上側の配向制御傾斜部（２３Ｌ，２３Ｒ）の帯状領域となっている。点線は下側基板（１０）の配向方向であり、実線は上側基板（２０）の配向方向である。液晶ダイレクターはこれに従って、下側から上側へ時計回りに９０°回転している。太矢印は中間調及び液晶の中間層での配向ベクトルの平面への射影である。図から明らかな如く、左右に分割された２つのゾーン（Ｌ，Ｒ）では、配向ベクトルは互いに逆方向へ向けられている。即ち、液晶ダイレクターは同じ平行配向方向に沿った初期状態から、左右のゾーン（Ｌ，Ｒ）で反対側が立ち上げられる。また、上下基板に関しても、反対側が立ち上げられて液晶ダイレクターの連続性が滑らかになるようにされている。太矢印で示される配向ベクトルは、液晶ダイレクターが全階調、及び、そのゾーンにおける全液晶層についても平均的にこの状態にあると見なせるものである。
　【００２６】
　このようなセル構造により、例えば紙面の左方向からの視認については、ゾーン（Ｌ）の階調が正面からの視認より黒に近づくとともに、ゾーン（Ｒ）の階調が白に近づくため、両ゾーン（Ｌ，Ｒ）の平均調が正面からの視認に近づく。右方向からの視認についても同様の平均化作用があるので左右方向の視角依存性が低減される。
　【００２７】
　以下、第１の実施例と同様、液晶層として正の誘電率異方性を有したネマチック液晶にカイラル材を混入したものを用い、プレチルト角を持たない平行配向構造のＴＮ液晶セルについて、配向制御傾斜部によって液晶ダイレクターの配向を制御し、表示画素を複数に分割して視角依存性を低減した本発明の第２から第５の実施例を説明する。
　【００２８】
　（第２の実施例）
　本実施例は第１の実施例に類似するので詳細な説明は省略する。図３はセル構造の断面図である。図１に示された第１の実施例と異なるのは、上側基板（２０）に配向制御傾斜部の代わりに、透明電極（２１）の中央部に電極不在部分である配向制御窓（２４）が形成されている点である。配向制御窓（２４）はＩＴＯの成膜後にエッチングなどにより透明電極（２１）中に開口される。配向制御窓（２４）に対応する領域では、液晶層（３０）に電界が生じないか、または、微弱で液晶の駆動閾値以下であるため、液晶ダイレクター（３１）は初期の配向状態に固定されている。そのため、下側基板（１０）の配向制御傾斜部（１３Ｌ，１３Ｒ）により表示画素部の両側から制御された配向状態は、液晶の連続体性により、配向ベクトルの異なる２つのゾーンの境界が配向制御窓（２４）により固定されて分割される。
　【００２９】
　尚、配向制御窓（２４）は電極が不在であるが、これに対向する下側の透明電極（１１）の領域には電極が存在している。このため、配向制御窓（２４）に対応する液晶層（３０）中には、図３の点線で示すような形状で斜め方向に電界が生じる。正の誘電率異方性を有する液晶ダイレクター（３１）は電界方向へ配向するが、初期配向状態から最短で電界方向へ向くように傾斜を起こす。即ち、配向制御窓（２４）の左側のエッジに対応する領域では液晶ダイレクター（３１）は左側から立ち上げられ、配向制御窓（２４）の右側のエッジに対応する領域では液晶ダイレクター（３１）は右側から立ち上げられる。従ってこのように、上側基板（２０）に配向制御窓（２４）を設けることにより、配向制御窓（２４）より左側のゾーンでは配向制御傾斜部（１３Ｌ）の作用と合わせて液晶ダイレクター（３１）は全て左側から立ち上げられるとともに、配向制御窓（２４）より右側のゾーンでは配向制御傾斜部（１３Ｒ）の作用と合わせて液晶ダイレクター（３１）は全て右側から立ち上げられる。
　【００３０】
　図４に平面図を示す。配向制御窓（２４）により仕切られた２つのゾーン（Ｌ，Ｒ）では、図２で示した第１の実施例と同様、液晶ダイレクターは同じ平行配向方向に沿った初期状態から、それぞれ反対側が立ち上げられる。そのため、左右方向からの視認は、両ゾーン（Ｌ，Ｒ）の平均調により認識されるので、視角依存性が低減される。
　【００３１】
　（第３の実施例）
　図５にセルの断面構造を示す。液晶層（３０）を挟んで上下に貼り合わされた２枚の透明基板（１０，２０）上にはＩＴＯからなる透明電極（１１，２１）が設けられている。下側の透明電極（１１）の下部には、表示画素部の大部分に形成された配向制御断層（１２Ｌ）、及び、配向制御断層（１２Ｌ）上の表示画素部の内部に形成された第２の配向制御断層（１５）が設けられている。両透明電極（１１，２１）上には、それぞれＳｉＯの斜方蒸着膜やＬＢ膜からなる配向膜（４０，５０）が全面に被覆されている。配向制御断層（１２Ｌ）は、全体的に透明電極（１１）をせり上げるとともに、配向制御断層（１２Ｌ）が不在の表示画素部の両端は、相対的に透明電極（１１）が陥没されて配向膜（４０）に斜面が生じ、配向制御傾斜部（１４Ｌ，１４Ｒ）となっている。また、第２の配向制御断層（１５）は透明電極（１１）を一部隆起させ、この部分でも配向膜（４０）の斜面が配向制御傾斜部（１６Ｌ，１６Ｒ）となっている。
　【００３２】
　表示画素領域は、配向制御傾斜部（１４Ｌ，１６Ｌ）により規定された左側のゾーンと、配向制御傾斜部（１４Ｒ，１６Ｒ）により規定された右側のゾーンに分割される。即ち、左側のゾーンでは配向制御傾斜部（１４Ｌ，１６Ｌ）に従って液晶ダイレクター（３１）は全て右側から立ち上げられ、右側のゾーンでは液晶ダイレクター（３１）は全て左側から立ち上げられる。
　【００３３】
　図６に表示画素部の平面図を示す。表示画素の左右両端の辺に沿って配向制御傾斜部（１４Ｌ，１４Ｒ）の帯状領域があり、これと平行に表示画素の中央には配向制御傾斜部（１６Ｌ，１６Ｒ）の帯状領域がある。このように左右に分割された２つのゾーン（Ｌ，Ｒ）では、同じ平行配向状態から、それぞれ、液晶ダイレクターが反対側を立ち上げられ、太矢印で表される平均的配向ベクトルの平面射影は逆方向を向いている。
　【００３４】
　このようなセル構造により、例えば紙面の左方向からの視認については、ゾーン（Ｌ）の階調が正面からの視認より白に近づくとともに、ゾーン（Ｒ）の階調が黒に近づくために、ゾーン（Ｌ，Ｒ）の平均調が正面からの視認に近づく。右方向からの視認についても同様の作用があるので左右方向の視角依存性が低減される。
　【００３５】
　（第４の実施例）
　本実施例が第３の実施例と異なるのは、図７に示すように、表示画素の分割手段として、上側基板（２０）に配向制御傾斜部（２５Ｌ，２５Ｒ）が設けられている点である。下側の透明電極（１１）の下部には、表示画素部の大部分に形成された配向制御断層（１２Ｌ）が介在し、左右両端部では配向膜（４０）の斜面が配向制御傾斜部（１４Ｌ，１４Ｒ）となっている。上側の透明電極（２１）の下部には表示画素部の大部分に配向制御断層（２２Ｌ）が設けられ、エッチングなどで表示画素の中央部を縦断して不在部分が形成されている。この不在部分では透明電極（２１）が陥没され、これにより配向膜（５０）に斜面ができて配向制御傾斜部（２５Ｌ，２５Ｒ）となっている。配向制御傾斜部（１４Ｌ，２５Ｌ）により規定された左側のゾーンでは液晶ダイレクター（３１）は全て右側から立ち上げられ、配向制御傾斜部（１４Ｒ，２５Ｒ）により規定された右側のゾーンでは液晶ダイレクター（３１）は全て左側から立ち上げられる。
　【００３６】
　図８に表示画素部の平面図を示す。表示画素の左右両端の辺に沿って配向制御傾斜部（１４Ｌ，１４Ｒ）の帯状領域があり、これと平行に表示画素の中央には配向制御傾斜部（２５Ｌ，２５Ｒ）の帯状領域がある。このように、左右に分割された２つのゾーン（Ｌ，Ｒ）では、第３の実施例と同様に、配向ベクトルの平面射影は逆方向を向いた状態にあり、両ゾーン（Ｌ，Ｒ）の平均調により左右方向の視角依存性が低減されている。
　【００３７】
　（第５の実施例）
　本実施例では表示画素領域の分割手段として、図９に示すように、下側基板（１０）に、第２の実施例で説明した配向制御窓（１７）を形成している。即ち、下側基板（１０）で配向制御傾斜部（１４Ｌ，１４Ｒ）を形成するとともに、下側の透明電極（１１）中にエッチングで電極不在部分を形成して配向制御窓（１７）が開口されている。これにより、表示画素の両側で配向制御傾斜部（１４Ｌ，１４Ｒ）により別々に制御された配向状態は、その境界が配向制御窓（１７）によって固定される。
　【００３８】
　配向制御窓（１７）に対応する領域では液晶層（３０）中に図の点線で示されるような斜めの電界が生じるので、配向制御傾斜部（１４Ｌ，１４Ｒ）の作用と合わせて、左のゾーンでは液晶ダイレクター（３１）は全て右側から立ち上げられ、右のゾーンでは全て左側から立ち上げられる。
　【００３９】
　図１０に表示画素部の平面図を示す。表示画素の左右両端の辺に沿って配向制御傾斜部（１４Ｌ，１４Ｒ）の帯状領域があり、これと平行に表示画素の中央には配向制御窓（１７）の帯状領域がある。配向制御窓（１７）により左右に分割された２つのゾーン（Ｌ，Ｒ）では、第３、第４の実施例と同様に、配向ベクトルの平面射影は逆方向を向いた状態にあり、両ゾーン（Ｌ，Ｒ）の平均調により左右方向の視角依存性が低減される。
　【００４０】
　次に、本発明の第６の実施例を図１１及び図１２を参照しながら説明する。図１１は本実施例に係る垂直配向ＥＣＢ方式の液晶セルの断面図である。液晶層（１２０）を挟んで上下に貼り合わされた２枚の透明な基板（１００，１１０）上にはＩＴＯの透明電極（１０１，１１１）が設けられている。下側の透明電極（１００）の下部には絶縁物が介在されて配向制御断層（１０２Ｓ）として、表示画素を囲う周縁部で透明電極（１０１）を隆起させている。一方、上側の透明電極（１１１）の下部にも絶縁物が介在されて配向制御断層（１１２Ｓ）として、表示画素の対角線に沿った部分で透明電極（１１１）を隆起させている。配向制御断層（１０２Ｓ，１１２Ｓ）はいずれもＳｉＮＸやＳｉＯ２などをエッチングす
ることにより形成される。透明電極（１０１，１１１）上にはＳｉＯの垂直蒸着膜やポリイミド膜が全面に被覆されて配向膜（１３０，１４０）となっている。液晶層（１２０）は負の誘電率異方性を有したネマチック液晶であり、配向膜（１３０，１４０）の排除体積効果により、液晶ダイレクター（１２１）の初期配向を接触表面に対して垂直方向に制御している。配向膜（１３０，１４０）は、配向制御断層（１０２Ｓ，１１２Ｓ）により隆起された部分の斜面が、液晶層（１２０）との接触表面が傾斜された配向制御傾斜部（１０３，１１３Ｌ，１１３Ｒ，１１３Ｕ，１１３Ｄ）となっている（図１２参照）。
　【００４１】
　この構造のセルを駆動すると、液晶ダイレクター（１２１）は、下側電極（１０１）の周縁部で配向制御傾斜部（１０３）に従って、左右両側の領域で互いに反対側へ傾けられる。また、上側電極（１１１）の中央部でも配向制御傾斜部（１１３Ｌ，１１３Ｒ）によってそれぞれ反対側へ傾けられる。即ち、液晶の連続体性のために、図１１の左側のゾーンでは、液晶層（１２０）を挟んだ上下の配向制御傾斜部（１１３Ｌ，１０３）の作用により、液晶ダイレクター（１２１）は全て右側へ傾けられるとともに、右側のゾーンでは配向制御傾斜部（１１３Ｒ，１０３）の作用により、液晶ダイレクター（１２１）は全て左側へ傾けられる。このように配向制御傾斜部（１０３，１１３Ｌ，１１３Ｒ）を配置することにより、表示画素が配向ベクトルの異なる複数のゾーンに分割されるとともに、それぞれのゾーンで均一な配向状態となる。
　【００４２】
　図１２は表示画素部の平面図であり、上下両電極（１０１，１１１）の対向部分を上から見た構造を示している。表示画素の周縁を囲って下側の配向制御傾斜部（１０３）の帯状領域があり、内部には表示画素の対角線に沿って上側に形成された配向制御傾斜部（１１３Ｌ，１１３Ｒ，１１３Ｕ，１１３Ｄ）のＸ字型の領域がある。太矢印は中間調での配向ベクトルの平面射影であり、液晶ダイレターは全階調について平均的にこの状態にあると見なされる。尚、矢印方向は、液晶ダイレクターが、その上側を傾ける方向を表している。図から明らかな如く、配向制御傾斜部（１１３Ｌ，１１３Ｒ，１１３Ｕ，１１３Ｄ）により上下左右に分割された４つのゾーン（Ｕ，Ｄ，Ｌ，Ｒ）では、配向ベクトルはそれぞれの４つの方向へ向けられる。即ち、液晶ダイレクターは同じ初期垂直配向状態から、上下左右のゾーン（Ｕ，Ｄ，Ｌ，Ｒ）で、４つのそれぞれの方向へ傾けられる。尚、上で図１１を用いて説明した作用は、図１２においてＬ‐Ｒ領域の断面に関するものであったが、Ｕ‐Ｄ領域の断面についても全く同じ作用があることは言うまでもない。
　【００４３】
　このようなセル構造により、例えば紙面の左方向からの視認については、ゾーン（Ｌ）の階調が正面からの視認より白に近づくとともに、ゾーン（Ｒ）の階調が黒に近づくため、両ゾーン（Ｌ，Ｒ）の平均調と上下ゾーン（Ｕ，Ｄ）の合成光が正面からの視認に近づく。他の方角からの視認についても同様の平均化作用があるので全ての方角について視角依存性が低減される。
　【００４４】
　また、このように液晶ダイレクターの配向状態を制御することにより、互いに異なる配向ベクトルを有する領域の境界線、即ちディスクリネーションは、全ての画素について配向制御傾斜部（１１３Ｌ，１１３Ｒ，１１３Ｕ，１１３Ｄ）のＸ字型の領域に固定され、画素ごとのばらつきが抑えられる。
　【００４５】
　以下、第６の実施例と同様、液晶層として負の誘電率異方性を有したネマチック液晶を用いた垂直配向構造のＥＣＢ液晶セルについて、配向制御傾斜部によって液晶ダイレクターの配向を制御し、表示画素を複数に分割して視角依存性を低減した本発明の第７から第１０の実施例を説明する。
　【００４６】
　（第７の実施例）
　本実施例は第６の実施例に類似するので詳細な説明は省略する。図１３はセル構造の断面図である。図１１に示された第６の実施例と異なるのは、上側基板（１１０）に配向制御傾斜部の代わりに、表示画素の対角線に沿って透明電極（１１１）中に電極不在部分である配向制御窓（１１４）が形成されている点である。配向制御窓（１１４）はＩＴＯの成膜後にエッチングなどにより開口される。配向制御窓（１１４）に対応する領域では、液晶層（１２０）に電界が生じないか、または、微弱で液晶の駆動閾値以下であるため、液晶ダイレクター（１２１）は初期の配向状態に固定されている。そのため、配向制御傾斜部（１０３）により表示画素部の周縁から制御された配向状態は、液晶の連続体性により、配向ベクトルの異なる両ゾーンの境界が配向制御窓（１１４）により固定されて分割される。
　【００４７】
　尚、配向制御窓（１１４）は電極が不在であるが、これに対向する下側の透明電極（１０１）の領域には電極が存在している。このため、配向制御窓（１１４）に対応する液晶層（１２０）中には、図１３の点線で示すような形状で斜め方向に電界が生じる。負の誘電率異方性を有する液晶ダイレクター（１２１）は電界方向に直角な方向へ配向するが、初期配向状態から最短で電界に直角な方向へ向くように傾斜を起こす。即ち、配向制御窓（１１４）の左側のエッジに対応する領域では液晶ダイレクター（１２１）は右側へ傾けられ、配向制御窓（１１４）の右側のエッジに対応する領域では液晶ダイレクター（１２１）は左側へ傾けられる。従ってこのように、上側基板（１１０）に配向制御窓（１１４）を設けることにより、配向制御窓（１１４）より左側のゾーンでは配向制御傾斜部（１０３）の作用と合わせて液晶ダイレクター（１２１）は全て右側へ傾けられるとともに、配向制御窓（１１４）より右側のゾーンでは配向制御傾斜部（１０３）の作用と合わせて液晶ダイレクター（１２１）は全て左側へ傾けられる。
　【００４８】
　図１４に平面図を示す。Ｘ字型に形成された配向制御窓（１１４）により４つに分割された各ゾーン（Ｕ，Ｄ，Ｌ，Ｒ）では、図１２で示した第６の実施例と同様、液晶ダイレクターは同じ初期垂直配向状態から、４つのそれぞれ方向へ傾けられる。そのため、全ての方角からの視認に対して、各ゾーン（Ｕ，Ｄ，Ｌ，Ｒ）の平均調により認識されるので、視角依存性が低減され、また、ディスクリネーションのばらつきが抑えられて表示品位が向上する。
　【００４９】
　（第８の実施例）
　図１５にセルの断面構造を示す。液晶層（１２０）を挟んで上下に貼り合わされた２枚の透明な基板（１００，１１０）上にはＩＴＯの透明電極（１０１，１１１）が設けられている。下側の透明電極（１０１）の下部には、表示画素部の大部分に形成された配向制御断層（１０２Ｌ）、及び、配向制御断層（１０２Ｌ）上の表示画素部の対角線に沿って形成された第２の配向制御断層（１０５）が設けられている。両透明電極（１０１，１１１）上には、ＳｉＯの垂直蒸着膜やポリミド膜からなる垂直配向膜（１３０，１４０）が全面に被覆されている。配向制御断層（１０２Ｌ）は、全体的に透明電極（１０１）をせり上げるとともに、表示画素を囲む周縁部で配向制御断層（１０２Ｌ）が不在の部分は、相対的に透明電極（１１１）が陥没され、配向膜（１３０）に斜面が生じ、配向制御傾斜部（１０４）となっている。第２の配向制御断層（１０５）は透明電極（１１１）を一部隆起させ、配向制御傾斜部（１０６Ｌ，１０６Ｒ，１０６Ｕ，１０６Ｄ）が形成されている（図１６参照）。
　【００５０】
　表示画素領域は、配向制御傾斜部（１０４，１０６Ｌ）により規定された左側のゾーンと、配向制御傾斜部（１０４，１０６Ｒ）により規定された右側のゾーンに分割される。即ち、左側のゾーンでは配向制御傾斜部（１０４，１０６Ｌ）に従って液晶ダイレクター（１２１）は全て左側へ傾けられ、右側のゾーンでは液晶ダイレクター（１２１）は全て右側へ傾けられる。
　【００５１】
　図１６に表示画素部の平面図を示す。表示画素の周縁部に配向制御傾斜部（１０４）の帯状領域があり、内部には表示画素の対角線に沿って形成された配向制御傾斜部（１０６Ｌ，１０６Ｒ，１０６Ｕ，１０６Ｄ）のＸ字型の領域がある。このように４つに分割された各ゾーン（Ｕ，Ｄ，Ｌ，Ｒ）では、液晶ダイレクターは同じ初期垂直配向状態から、４つのそれぞれの方向へ傾けられ、太矢印で表される平均的配向ベクトルの平面射影は４方向を向いている。
　【００５２】
　このようなセル構造により、例えば紙面の左方向からの視認については、ゾーン（Ｌ）の階調が正面からの視認より黒に近づくとともに、ゾーン（Ｒ）の階調が白に近づくために、ゾーン（Ｌ，Ｒ）の平均調と上下ゾーン（Ｕ，Ｄ）の合成光が正面からの視認に近づく。他の方角からの視認についても同様の平均化作用があるので全ての方角について視角依存性が低減される。
　【００５３】
　また、このように液晶ダイレクターの配向状態を制御することにより、互いに異なる配向ベクトルを有する領域の境界線、即ちディスクリネーションは、全ての画素について配向制御傾斜部（１０６Ｌ，１０６Ｒ，１０６Ｕ，１０６Ｄ）のＸ字型の領域に固定され、画素ごとのばらつきが抑えられる。
　【００５４】
　（第９の実施例）
　本実施例が第８の実施例と異なるのは、図１７に示すように、表示画素の分割手段として、上側基板（１１０）に配向制御傾斜部（１１５Ｌ，１１５Ｒ）が設けられている点である。下側の透明電極（１０１）の下部には、表示画素部の大部分に形成された配向制御断層（１０２Ｌ）が介在し、周縁部は配向制御傾斜部（１０４）となっている。上側の透明電極（１１１）の下部には、全面に配向制御断層（１１２Ｌ）が設けられ、エッチングなどで表示画素の対角線に沿って不在部分が形成されている。この不在部分では、透明電極（１１１）が陥没されて配向膜（１３０）に斜面が生じ、配向制御傾斜部（１１５Ｌ，１１５Ｒ，１１５Ｕ，１１５Ｄ）となっている。配向制御傾斜部（１０４，１１５Ｌ）によって規定された左側のゾーンでは、液晶ダイレクター（１２１）は全て左側へ傾けられ、配向制御傾斜部（１０４，１１５Ｒ）によって規定された右側のゾーンでは、液晶ダイレクター（１２１）は全て右側へ傾けられる。
　【００５５】
　図１８に表示画素部の平面図を示す。表示画素の周縁を囲って配向制御傾斜部（１０４）の帯状領域があり、内部には表示画素の対角線に沿って形成された配向制御傾斜部（１１５Ｌ，１１５Ｒ，１１５Ｕ，１１５Ｄ）のＸ字型の領域がある。このように４つに分割された各ゾーン（Ｕ，Ｄ，Ｌ，Ｒ）では、第８の実施例と同様に、配向ベクトルの平面射影は４つのそれぞれの方向を向いた状態にあり、各ゾーン（Ｕ，Ｄ，Ｌ，Ｒ）の平均調により全方角について視角依存性が低減されるとともに、ディスクリネーションのばらつきが抑えられる。
　【００５６】
　（第１０の実施例）
　本実施例では表示画素領域の分割手段として、図１９に示すように、下側基板（１００）に、第７の実施例で説明した配向制御窓（１０７）を形成している。即ち、下側基板（１００）に配向制御傾斜部（１０４）を形成するとともに、下側の透明電極（１０１）中にエッチングで電極不在部分を形成している。これにより、表示画素の両側で配向制御溝（１０３）により別々に制御された配向状態は、その境界が配向制御窓（１０７）によって固定されることになる。
　【００５７】
　配向制御窓（１０７）に対応する領域では液晶層（１２０）中に図の点線で示されるような斜めの電界が生じるので、配向制御傾斜部（１０４）の作用と合わせて、左のゾーンでは液晶ダイレクター（１２１）は全て左側へ傾けられ、右のゾーンでは全て右側へ傾けられる。
　【００５８】
　図２０に表示画素部の平面図を示す。表示画素の周縁を囲って配向制御傾斜部（１０４）の帯状領域があり、内部には表示画素の対角線に沿って形成された配向制御窓（１０７）のＸ字型の領域がある。配向制御窓（１０７）によって４つに分割された各ゾーン（Ｕ，Ｄ，Ｌ，Ｒ）では、第８、第９の実施例と同様に、配向ベクトルの平面射影は４つのそれぞれの方向を向いた状態にあり、各ゾーン（Ｕ，Ｄ，Ｌ，Ｒ）の平均調により全方角について視角依存性が低減され、また、ディスクリネーションのばらつきが抑えられる。
　【００５９】
　【発明の効果】
　以上の説明から明らかなように、配向制御傾斜部をセルの所定の部分に配置したことにより、表示画素を、それぞれ異なる優先視角方向を有する複数のゾーンに分割することができた。そのため、ＴＮセルでは表示画素を左右に分割することにより、左右方向に高かった視角依存性を低くして、広視野角の表示が実現できた。また、垂直配向ＥＣＢセルでは、上下左右に分割することにより、広視野角が実現されるとともに、画素ごとに異なる不均一なディスクリネーションの出現が防止され、画面のざらつきがなくなり、表示品位が向上した。
　【００６０】
　更に、プレチルト角が不要となるため、配向膜のラビング工程が削減され、製造コストが低減されるとともに、ラビング時に生ずる静電気がなくなり、ＴＦＴの静電破壊が防止される。
【図面の簡単な説明】
　【図１】
　本発明の第１の実施例に係る液晶表示装置の断面図である。
　【図２】
　本発明の第１の実施例に係る液晶表示装置の平面図である。
　【図３】
　本発明の第２の実施例に係る液晶表示装置の断面図である。
　【図４】
　本発明の第２の実施例に係る液晶表示装置の平面図である。
　【図５】
　本発明の第３の実施例に係る液晶表示装置の断面図である。
　【図６】
　本発明の第３の実施例に係る液晶表示装置の平面図である。
　【図７】
　本発明の第４の実施例に係る液晶表示装置の断面図である。
　【図８】
　本発明の第４の実施例に係る液晶表示装置の平面図である。
　【図９】
　本発明の第５の実施例に係る液晶表示装置の断面図である。
　【図１０】
　本発明の第５の実施例に係る液晶表示装置の平面図である。
　【図１１】
　本発明の第６の実施例に係る液晶表示装置の断面図である。
　【図１２】
　本発明の第６の実施例に係る液晶表示装置の平面図である。
　【図１３】
　本発明の第７の実施例に係る液晶表示装置の断面図である。
　【図１４】
　本発明の第７の実施例に係る液晶表示装置の平面図である。
　【図１５】
　本発明の第８の実施例に係る液晶表示装置の断面図である。
　【図１６】
　本発明の第８の実施例に係る液晶表示装置の平面図である。
　【図１７】
　本発明の第９の実施例に係る液晶表示装置の断面図である。
　【図１８】
　本発明の第９の実施例に係る液晶表示装置の平面図である。
　【図１９】
　本発明の第１０の実施例に係る液晶表示装置の断面図である。
　【図２０】
　本発明の第１０の実施例に係る液晶表示装置の平面図である。
　【図２１】
　マトリクス型液晶表示装置の平面図である。
　【図２２】
　ＴＦＴを用いたアクティブマトリクス型液晶表示装置の平面図である。
　【図２３】
　従来のＴＮ方式の液晶表示装置の断面図である。
　【図２４】
　従来のＴＮ方式の液晶表示装置の斜視図である。
　【図２５】
　従来のＥＣＢ方式の液晶表示装置の断面図である。
　【図２６】
　従来のＴＮ方式の液晶表示装置の問題点を説明する図である。
　【図２７】
　従来のＥＣＢ方式の液晶表示装置の問題点を説明する図である。
　【符号の説明】
　１０，２０，１００，１１０　透明基板
　１１，２１，１０１，１１１　透明電極
　１２，１５，２２，１０２，１０５，１１２　配向制御断層
　１３，１４，１６，２３，２５，１０３，１０４，１０６，１１３，１１５　配向制御傾斜部
　１７，２４，１０７，１１４　配向制御窓
　３０，１２０　液晶層
　３１，１２１　液晶ダイレクター
　４０，５０，１３０，１４０　配向膜
　Ｕ，Ｄ，Ｌ，Ｒ　表示ゾーン
　Ｘ　走査電極
　Ｙ　データ電極
　Ｇ　ゲートライン
　Ｄ　ドレインライン
　Ｐ　表示電極